(57)【要約】      （修正有）【課題】弁当箱と食器をセットにすることで、携帯しやすくする弁当箱を提供する。【解決手段】弁当箱１は容器本体１１からなり、容器本体１１の上方には蓋１２が備えられ、蓋１２には取り付け具１３が設けられ、取り付け具１３には食器弾性クランプ部１３１が湾曲して設けられるとともに、蓋１２は、取り付け具１３に湾曲して設けられた食器弾性クランプ部１３１によって、食器２を挟接し位置決めする。【選択図】図２
0003213904.tif 000002
【実用新案登録請求の範囲】
【請求項１】
容器本体からなる弁当箱であって、前記容器本体上方には少なくとも蓋が備えられ、前記蓋には少なくとも取り付け具が設けられ、前記取り付け具には少なくとも食器弾性クランプ部が湾曲して設けられるとともに、前記蓋は、前記取り付け具に湾曲して設けられる前記食器弾性クランプ部によって少なくとも挟接して、食器を位置決めすることを特徴とする、弁当箱。
【請求項２】
前記取り付け具には、少なくとも前記取り付け具が増設されて並列して設けられ、前記食器は、さらに少なくともスプーンまたは箸を備え、並列された前記取り付け具は、前記スプーンまたは前記箸をそれぞれ適切に挟設することを特徴とする、請求項１に記載の弁当箱。
【請求項３】
前記取り付け具には、少なくとも前記取り付け具が増設されて並列して設けられ、前記食器は、さらに少なくともフォークとスプーンを備え、並列された前記取り付け具は、前記フォークと前記スプーンをそれぞれ適切に挟設することを特徴とする、請求項１に記載の弁当箱。
【請求項４】
前記取り付け具は、前記蓋の下方に設けられるとともに、前記取り付け具には、少なくとも一対の互いに下方に伸びる食器弾性クランプ部が増設され、前記食器弾性クランプ部の下方には、互いに外側に広がる食器収納溝が増設され、前記食器弾性クランプ部における前記食器収納溝の下方には、互いに内側に狭められた食器止め部が増設され、前記食器弾性クランプ部における前記食器止め部の下方には、互いに外側に広がる広がり部が増設されることを特徴とする、請求項１に記載の弁当箱。
【請求項５】
前記取り付け具は、前記蓋の下方に設けられるとともに、前記蓋の下方には、１つ以上の取り付け具が増設され、各前記取り付け具には、少なくとも一対の互いに下方に伸びる前記食器弾性クランプ部が増設され、前記食器弾性クランプ部の下方には、互いに外側に広がる食器収納溝が増設され、前記食器弾性クランプ部における前記食器収納溝の下方には、互いに内側に狭められた食器止め部が増設され、前記食器弾性クランプ部における前記食器止め部の下方には、互いに外側に広がる広がり部が増設されることを特徴とする、請求項１に記載の弁当箱。
【請求項６】
前記取り付け具には、少なくとも前記取り付け具が並列して設けられるとともに、前記取り付け具は、前記蓋の下方に設けられ、各前記取り付け具には、互いに平行の前記取り付け具が増設され、さらに、各前記取り付け具には、少なくとも一対の互いに下方に伸びる前記食器弾性クランプ部が増設され、前記食器弾性クランプ部の下方には、互いに外側に広がる食器収納溝が増設され、前記食器弾性クランプ部における前記食器収納溝の下方には、互いに内側に狭められた食器止め部が増設されることを特徴とする、請求項１に記載の弁当箱。
【請求項７】
前記弁当箱は、弁当箱と食器をセットにして携帯するための便利な弁当箱であることを特徴とする、請求項１に記載の弁当箱。
【考案の詳細な説明】
【技術分野】
【０００１】
本考案は弁当箱に関し、特に、容器本体からなり、容器本体上方には蓋が備えられ、蓋には食器を固定する取り付け具が設けられ、食器と弁当箱をセットにする弁当箱の技術分野に関する。
【背景技術】
【０００２】
図１に示す従来の弁当箱を示す図を参照する。従来の弁当箱は、弁当箱１０である。現在食の安全の問題が深刻になっているため、社会的な傾向として自分で食事を作り、食事２０を学校や、野外や職場に持参する必要が生じている。質の悪い飲食物による害を避けるため、弁当箱１０は、自炊した食事２０を携帯するのに最も便利な道具である。
【０００３】
しかしながら、前記弁当箱１０は、食事２０を食べる時に使う食器３０を別に携帯しなければならないが、食器３０を紛失したり、移動中に失くしたり、または環境によって食器３０が汚れたりするといったことが頻繁に生じるため、食器３０の携帯方法は十分に考慮されるべきである。
【考案の概要】
【考案が解決しようとする課題】
【０００４】
本考案は、取り付け具によって食器を固定し、弁当箱自体が食器もいっしょに携帯できる弁当箱を提供することを目的とする。
【課題を解決するための手段】
【０００５】
本考案の弁当箱は、容器本体からなり、容器本体の上方には少なくとも蓋が備えられ、蓋には少なくとも取り付け具が設けられ、取り付け具には少なくとも食器弾性クランプ部が湾曲して設けられるとともに、蓋は取り付け具に湾曲して設けられた食器弾性クランプ部によって挟接し、食器を位置決めする。
【０００６】
そのうち、前記取り付け具は、さらに少なくとも前記取り付け具を増設し、並列して設けることができる。前記食器は、さらに少なくともスプーン、または箸、またはフォークを備え、並列された前記取り付け具はそれぞれスプーンと、箸と、フォークをそれぞれ適切に挟設する。
【０００７】
さらに、前記取り付け具には、少なくとも取り付け具が並列して設けられ、取り付け具は、蓋の下方に設けられるとともに、各取り付け具には、互いに平行した取り付け具が設けられる。各取り付け具は、一対の互いに蓋の下方に伸びる食器弾性クランプ部を備え、食器弾性クランプ部の下方には互いに外側に広がる食器収納溝が設けられる。食器弾性クランプ部における食器収納溝の下方には互いに内側に狭められた食器止め部が設けられ、食器弾性クランプ部における食器止め部の下方には互いに外側に広がる広がり部が設けられる。
【考案の効果】
【０００８】
本考案の弁当箱は、取り付け具によって食器を固定し、弁当箱自体が食器もいっしょに携帯することができる。
【図面の簡単な説明】
【０００９】
【図１】従来の弁当箱を示した図である。
【図２】本考案の弁当箱の斜視分解図である。
【図３】本考案の弁当箱を組み合わせた場合の断面図である。
【図４】本考案の取り付け具を使用した場合の拡大図である。
【図５】本考案の別の実施例における斜視分解図である。
【図６】本考案の別の実施例における弁当箱を組み合わせた場合の断面図である。
【図７】本考案の別の実施例における取り付け具を使用した場合の拡大図である。
【考案を実施するための形態】
【００１０】
図２、図３、図４、図５、図６、図７を参照する。図２、図３、図４、図５、図６、図７は、それぞれ本考案の弁当箱の斜視分解図、弁当箱を組み合わせた場合の断面図、取り付け具を使用した場合の拡大図、別の実施例における斜視分解図、別の実施例における弁当箱を組み合わせた場合の断面図、別の実施例における取り付け具を使用した場合の拡大図である。図に示したのは弁当箱１である。そのうち、前記弁当箱１は容器本体１１を備え、前記容器本体１１の上方には少なくとも蓋１２が設けられ、前記蓋１２には少なくとも取り付け具１３が設けられ、前記取り付け具１３には少なくとも食器弾性クランプ部１３１が湾曲して設けられるとともに、前記蓋１２は、前記取り付け具１３に湾曲して設けられる前記食器彈性クランプ部１３１によって少なくとも挟接し、食器２を位置決めする（図２、図３、図４に図示）。
【００１１】
前記取り付け具１３には、少なくとも前記取り付け具１３を増設し、並列して設けることができる。また、前記食器２は、さらに少なくともスプーン２１及び箸２２、またはフォーク２３を備える。並列された前記取り付け具１３は、前記スプーン２１と前記箸２２、または前記フォーク２３をそれぞれ適切に挟設する。明らかな通り、弁当箱１は、この取り付け具１３によって食器２をいっしょに携帯することで、弁当箱１を携帯して外出先で食事をする際、必要な食器２を汚い場所に落とすのを防ぐことができる。（図２、図３、図４に図示。さらに、ここでは食事は未図示及び無記号）。
【００１２】
そのうち、前記取り付け具１３は、前記蓋１２の下方に設けることもできるとともに、各前記取り付け具１３には、互いに平行の前記取り付け具１３（図５、図６に図示）が増設される。さらに、各前記取り付け具１３には、少なくとも一対の互いに下方に伸びる前記食器弾性クランプ部１３１が増設され、前記食器弾性クランプ部１３１の下方には、互いに外側に広がる食器収納溝１３２が増設され、食器収納溝１３２は食器２を適切に収納することができる。さらに、前記食器弾性クランプ部１３１における前記食器収納溝１３２の下方には、互いに内側に狭められた食器止め部１３３が増設され、食器止め部１３３は、食器２が食器収納溝１３２から外れるのを防ぐのに用いられる。さらに、前記食器弾性クランプ部１３１における前記食器止め部１３３の下方には、互いに外に広がる広がり部１３４が増設され、広がり部１３４は、食器２を食器収納溝１３２（図７に図示）に押し入れやすくするのに用いられる。よって、取り付け具１３は、蓋１２の下方に設けられ、食器２を弁当箱１内に収納して食事といっしょに携帯できるようにする。（図６に図示。さらに、ここでは食事は未図示及び無記号）。
【００１３】
上述の通り、本考案の弁当箱１は、取り付け具１３によって食器２を弁当箱１内に固定し食事といっしょに携帯することにより、食器２を失くす心配がなくなる。同時に、さらに食器２が環境によって汚れる可能性を失くすという優れた目的を達成するため、確実に新規性、進歩性及び産業利用性に適合する新たな考案である。
【符号の説明】
【００１４】
１０    弁当箱
２０    食事
３０    食器
１      弁当箱
１１    容器本体
１２    蓋
１３    取り付け具
１３１  食器弾性クランプ部
１３２  食器収納溝
１３３  食器止め部
１３４  広がり部
２      食器
２１    スプーン
２２    箸
２３    フォーク
【図１】
0003213904.tif 000003
【図２】
0003213904.tif 000004
【図３】
0003213904.tif 000005
【図４】
0003213904.tif 000006
【図５】
0003213904.tif 000007
【図６】
0003213904.tif 000008
【図７】
0003213904.tif 000009